(57)【要約】      （修正有）【課題】安定性に優れるラックの支え台構造を提供する。【解決手段】ラックの支え台構造において、ラックは調整支柱１０、半環スリーブ２０、支え台３０及び棚板４０から組み立てて構成される。その中、支え台３０はプラスチック製品で、真っ直ぐな筒状の筒部３１を有し、筒部３１の下部に受け縁３２を有する。筒部３１の内部は円錐状のテーパ穴３３により貫通される。棚板４０に上面、底面を貫通する真っ直ぐな穴の中穴４１を設ける。【選択図】図２
0003188574.tif 000002
【実用新案登録請求の範囲】
【請求項１】
ラックが調整支柱、半環スリーブ、支え台及び棚板から組み立てて構成され、該調整支柱には等間隔に環状溝が設けられて、二つの半環スリーブを嵌めさせるためであり、該二つの半環スリーブが組み合わされた後は円錐状になり、支え台と結合するラックの支え台構造であって、
支え台はプラスチックからなり、真っ直ぐな筒状の筒部を有し、筒部の下部に受け縁を有し、筒部の内部は円錐状のテーパ穴により貫通され、棚板に上面、底面を貫通する真っ直ぐな穴の中穴を設け、上述の構造によって、支え台は筒部によって棚板の底面より中穴に挿し込まれ、中穴は全周面によって筒部の外縁に接触されると共に、受け縁は上に移動して、棚板の底面に接触し、支え台は少なくとも棚板の四角に固定され、また二つの半環スリーブは接合し、調整支柱の適切な高さの環状溝に嵌められ、接合する半環スリーブが支え台のテーパ穴と結合した時に、棚板が調整支柱によって支えられ、ラックの構造が完成されることを特徴とするラックの支え台構造。
【考案の詳細な説明】
【技術分野】
【０００１】
本考案はラックのスリーブ受け構造の改良に関する。特に安定性に優れるラックの支え台構造である。
【背景技術】
【０００２】
従来のラックの多くは図5から図7に示すように、主に調整支柱、半環スリーブ、支え台及び棚板から組み立てて構成される。その中、調整支柱には等間隔に環状溝を設け、二つの半環スリーブを嵌めさせるためである。該二つの半環スリーブが組み合わせた後は円錐状になり、支え台と結合できる。支え台は金属から鍛造され、斜錐状の筒部となり、筒部の下方は受け縁を有し、受け縁の上に結合穴を設け、筒部の内部は円錐状のテーパ穴により貫通する。棚板に上面、底面を貫通する中穴を設け、該中穴は異なる孔径であるため、下が大きく、上が小さい形態になり、棚板の底面には中穴の外側に位置決め穴が設けられている。
【０００３】
組み立てる際、支え台は筒部によって棚板の底面より中穴に挿し込まれ、中穴は大、小の孔径差により筒部の外縁に接触し、同時に受け縁が上に移動して、棚板の底面に接触するため、ネジを使って結合穴と位置決め穴を締め付ける。従って、支え台は少なくとも棚板の四角に固定されることができる。また、二つの半環スリーブは接合するため、調整支柱の適切な高さの環状溝に嵌められる。接合する半環スリーブが支え台のテーパ穴と結合した時に、棚板が調整支柱によって支えられるため、ラックの構造が完成される。
【０００４】
上述の従来の構造は実際に使用する際に、以下の問題点が存在する。（一）棚板に階段状の中穴を加工しなければ、斜錐状の筒部と結合できないため、加工の工程が複雑な上、コストが高い。（二）支え台は金属製のため、重さがあり、ラックの軽量化の要求に達成できない。（三）円錐状の筒部が中穴に挿し込まれる時、上部に中穴との間に隙間が生じ、外観状良くなく、埃がたまりやすい。（四）中穴は大、小の孔径差により筒部の外縁に接触するため、筋状の接触だけでは安定性が悪いという欠点がある。
【０００５】
従って、上述の従来のラックの支え台構造に存在する欠点について、どのように研究改良するのかは関連業界が努力して開発する目標である。本考案者はこれらを鑑み、創作の意志が芽生え、長年の経験によって設計し、多方面に探究しながら試作品を試作し、改良を重ねた上に本考案を生み出した。
【考案の概要】
【考案が解決しようとする課題】
【０００６】
従来の支え台と棚板の結合は加工しにくく、かつ安定性が悪い欠点がある。
【課題を解決するための手段】
【０００７】
本考案はラックの支え台構造の改良を提供する。該ラックは調整支柱、半環スリーブ、支え台及び棚板から組み立てて構成される。その中、調整支柱には等間隔に環状溝が設けられ、二つの半環スリーブを嵌めさせている。該二つの半環スリーブが組み合わされた後は円錐状になり、支え台と結合することができる。支え台はプラスチック製品で、真っ直ぐな筒状の筒部を有し、筒部の下部に受け縁を有する。筒部の内部は円錐状のテーパ穴により貫通される。棚板に上面、底面を貫通する真っ直ぐな穴の中穴を設けることでラックの支え台構造の改良を得ることができる。
【０００８】
本考案は、以下の効果を奏する。
（一）一回の加工で棚板に真っ直ぐな穴の中穴が形成され、加工しやすく、はやいため、コストが効果的に下げられる。
（二）支え台はプラスチック製品で、軽いため、ラックの軽量化が達成できる。
（三）筒部が中穴に挿し込まれる時は完全に密着するため、棚板の上部に醜い隙間が生じたり、埃がたまったりする心配がない。
（四）中穴は全周縁により筒部の外縁に接触するため、全面の接触によってラック全体の安定性が向上できる。
【図面の簡単な説明】
【０００９】
【図１】図１は、本考案の立体組立図である。
【図２】図２は、本考案の立体分解図である。
【図３】図３は、本考案の局部部品の断面図である。
【図４】図４は、本考案の組立断面図である。
【図５】図５は、従来構造の立体分解図である。
【図６】図６は、従来構造の局部部品の断面図である。
【図７】図７は、従来構造の組立断面図である。
【考案を実施するための形態】
【００１０】
以下に、本考案の目的、特徴及び効果をより理解、認識してもらうため、図面にあわせ、詳しく説明する。
【００１１】
まず、図１から図４を参照されたい。該ラックは調整支柱（１０）、半環スリーブ（２０）、支え台（３０）及び棚板（４０）から組み立てて構成される。その中、調整支柱（１０）には等間隔に環状溝（１１）が設けられ、これは、二つの半環スリーブ（２０）を嵌めさせるためである。該二つの半環スリーブ（２０）が組み合わされた後は円錐状になり、支え台（３０）と結合できる。支え台（３０）はプラスチック製品で、真っ直ぐな筒状の筒部（３１）を有し、筒部（３１）の下部に受け縁（３２）を有する。筒部（３１）の内部は円錐状のテーパ穴（３３）により貫通される。棚板（４０）に上面、底面を貫通する真っ直ぐな穴の中穴（４１）を設ける。
【００１２】
構造の組立について、もう一度図1から図４を参照されたい。支え台（３０）は筒部（３１）によって棚板（４０）の底面より中穴（４１）に挿し込まれ、中穴（４１）は全周面によって筒部（３１）の外縁に接触でき、同時に受け縁（３２）は上に移動して、棚板（４０）の底面に接触するため、支え台（３０）は少なくとも棚板（４０）の四角に固定できる。また、二つの半環スリーブ（２０）は接合するため、調整支柱（１０）の適切な高さの環状溝（１１）に嵌められる。接合する半環スリーブ（２０）が支え台（３０）のテーパ穴（３３）と結合できた時に、棚板（４０）が調整支柱（１０）によって支えられるため、ラックの構造が完成される。
【００１３】
上述の具体的な実施例の構造により、以下の効果が得られる。（一）一回の加工で棚板（４０）に真っ直ぐな穴の中穴（４１）が形成され、加工しやすく、はやいため、コストが有効的に下げられる。（二）支え台（３０）はプラスチック製品で、軽いため、ラックの軽量化が達成できる。（三）筒部（３１）が中穴（４１）に挿し込まれる時は完全に密着するため、棚板（４０）の上部に醜い隙間が生じ、埃がたまる心配がない。（四）中穴（４１）は全周縁により筒部（３１）の外縁に接触するため、全面の接触によってラック全体の安定性が向上できる。
【００１４】
しかし、上記は、本考案の好適な実施例に過ぎず、本考案の範囲を制限するものではない。本考案の実用新案登録請求の範囲に従って行った様々な変更及び修正は、すべて本実用新案登録請求の範囲に含まれる。
【符号の説明】
【００１５】
１０              調整支柱
１１              環状溝
２０              半環スリーブ
３０              支え台
３１              筒部
３２              受け縁
３３              テーパ穴
４０              棚板
４１              中穴
５０              ラック
５１              調整支柱
５１１            環状溝
５２              半環スリーブ
５３              支え台
５３１            筒部
５３２            受け縁
５３３            結合穴
５３４            テーパ穴
５４              棚板
５４１            中穴
５４２            位置決め穴
【図１】
0003188574.tif 000003
【図２】
0003188574.tif 000004
【図３】
0003188574.tif 000005
【図４】
0003188574.tif 000006
【図５】
0003188574.tif 000007
【図６】
0003188574.tif 000008
【図７】
0003188574.tif 000009